(57)【要約】【課題】本発明は、施工性が良く、部材の再利用も可能な可変階高式積層構造物、可変階高式積層構造物の構築方法、及び可変階高式積層構造物の階高可変方法を提供する。【解決手段】前記ハットトラス８及び固定フレーム２を構築し、可変フレーム本体１２を固定フレーム２の外周で地組した後、揚重手段７を介して固定フレーム２に沿って所定の高さまで揚重する。この後、可変フレーム本体１２の内周縁を固定フレーム２の外周面に締結手段１８を介して締結するとともに、可変フレーム本体１２を構成する可変梁１３の他方の端部１３ｂを仮設吊り材を介して固定フレーム２の外周面に連結する。下方に位置する可変フレーム本体１２を直上に垂設する吊り材１６に連結し支持させた後、仮設吊り材を撤去する。【選択図】  図１
2004316255.tif 000002
【特許請求の範囲】
【請求項１】
鉄骨造の柱及び梁により構成され、塔形状に構築された固定フレームと、
該固定フレームの上部に中央近傍が支持され、固定フレームと比較して平面視形状の大きい平板型立体トラス構造よりなるハットトラスと、
該ハットトラスの外周縁より垂設されている複数の吊り材により支持され、前記固定フレームの外周に形成される可変フレームを備えてなり、
該可変フレームが、一方の端面を前記固定フレームの外周面に当接するように水平に配置される複数の可変梁、該可変梁に直交して配置される直交梁、及び前記可変梁の他方の端部に一端を固定されて鉛直下方に垂設される吊り材を備える可変フレーム本体を、高さ方向に複数積層し、上方に位置する可変フレーム本体の吊り材で、下方に位置する可変フレーム本体を支持することにより構成されることを特徴とする可変階高式積層構造物。
【請求項２】
請求項１に記載の可変階高式積層構造物において、
前記ハットトラスに、揚重手段が垂設されることを特徴とする可変階高式積層構造物。
【請求項３】
請求項１または２に記載の可変階高式積層構造物において、
前記固定フレーム、ハットトラス及び可変フレームを備える構成を１ユニットとし、水平方向に複数連接することを特徴とする可変階高式積層構造物。
【請求項４】
請求項１から３の何れかに記載の可変階高式積層構造物において、
前記固定フレームが、上下方向に連通する連通空間を内包することを特徴とする可変階高式積層構造物。
【請求項５】
請求項１から４のいずれかに記載の可変階高式積層構造物の構築方法であって、
所定の高さを有する固定フレーム、及び該固定フレームに支持されるハットトラスを構築する第１の工程と、
あらかじめ前記可変フレーム本体を組み立てておき、該可変フレーム本体の内周縁近傍に前記揚重手段を連結して、前記固定フレームに沿って所定の高さ位置まで揚重した後、可変フレーム本体の内周縁近傍と固定フレームの外周面とをピン結合する工程を、所定の階層を形成するまで繰り返す第２の工程と、
下方側に位置する可変フレーム本体を、直上に垂設されている吊り材に支持させる第３の工程により構成されることを特徴とする可変階高式積層構造物の構築方法。
【請求項６】
請求項５に記載の可変階高式積層構造物の構築方法において、
第２の工程で、前記可変フレーム本体の内周縁近傍と固定フレームの外周面とをピン結合した後、可変フレーム本体の外周縁近傍を仮設吊り材を介して固定フレームの外周面に締結し、
第３の工程で、前記可変フレーム本体を前記吊り材で支持した後、前記仮設吊り材を撤去することを特徴とする可変階高式積層構造物の構築方法。
【請求項７】
請求項５または６に記載の可変階高式積層構造物の構築方法において、
前記固定フレームが、１階層分の固定フレーム本体を積層することに構築されており、
第１の工程で、上端面に前記ハットトラスを備えた固定フレーム本体をプッシュアップして新たな固定フレーム本体を下方に継ぎ足してユニット化し、該ユニットをプッシュアップしながら下方に新たな固定フレーム本体を継ぎ足す工程を所定の高さに達するまで繰り返すことにより、所定の高さを有する固定フレーム、及び該固定フレームに支持されるハットトラスを構築することを特徴とする可変階高式積層構造物の構築方法。
【請求項８】
請求項１から４のいずれかに記載の可変階高式積層構造物の階高の変更方法であって、
階高を変更したい階層を形成する可変フレーム本体に対し、仮設吊り材を介して外周縁近傍を固定フレームの外周面に連結した後、可変フレーム本体を支持する吊り材を撤去する第１の工程と、
前記ハットトラスに、前記固定フレームの外周面に沿って垂設する複数の揚重手段を設置するとともに、前記可変フレーム本体の内周縁近傍に該揚重手段を連結して、可変フレーム本体を所定の高さ位置まで揚重する第２の工程と、
前記可変フレーム本体の内周縁と固定フレームの外周面とを締結手段を介して締結するとともに、可変フレーム本体を、直上に垂れ設されている吊り材を介して支持した後、仮設吊り材を撤去する第３の工程によりなることを特徴とする可変階高式積層構造物の階高の変更方法。
【発明の詳細な説明】
【０００１】
【発明の属する技術分野】
本発明は、階高を自在に変更することの可能な可変階高式積層構造物、可変階高式積層構造物の構築方法、及び可変階高式積層構造物の階高の変更方法に関する。
【０００２】
【従来の技術】
従来より、特許文献１に示すように、地上階で床版を製作し、あらかじめ構築した柱に設けた揚重手段によって同柱をガイドとして上階へ揚重して躯体を構築するリフトアップ工法により構成された構造物が築造されている。
【０００３】
【特許文献１】
特開平０３−５９２４５号公報（ｐ２、図１参照）
【０００４】
【発明が解決しようとする課題】
しかし、このような構造物は、所定位置に揚重された床版が前記柱に剛に接合されるため、構築後の階高変更に対応できないとともに、解体が煩雑で解体後に構造部材を再利用することができない。
【０００５】
上記事情に鑑み、本発明は、施工性が良く、部材の再利用も可能な可変階高式積層構造物、可変階高式積層構造物の構築方法、及び可変階高式積層構造物の階高可変方法を提供することを目的としている。
【０００６】
【課題を解決するための手段】
請求項１記載の可変階高式積層構造物は、鉄骨造の柱及び梁により構成され、塔形状に構築された固定フレームと、該固定フレームの上部に中央近傍が支持され、固定フレームと比較して平面視形状の大きい平板型立体トラス構造よりなるハットトラスと、該ハットトラスの外周縁より垂設されている複数の吊り材により支持され、前記固定フレームの外周に形成される可変フレームを備えてなり、該可変フレームが、一方の端面を前記固定フレームの外周面に当接するように水平に配置される複数の可変梁、該可変梁に直交して配される直交梁、及び前記可変梁の他方の端部に一端を固定されて鉛直下方に垂設される吊り材を備える可変フレーム本体を、高さ方向に複数積層し、上方に位置する可変フレーム本体の吊り材で、下方に位置する可変フレーム本体を支持することにより構成されることを特徴としている。
【０００７】
請求項２に記載の可変階高式積層構造物は、前記ハットトラスに、揚重手段が垂設されることを特徴としている。
【０００８】
請求項３記載の可変階高式積層構造物は、前記固定フレーム、ハットトラス及び可変フレームを備える構成を１ユニットとし、水平方向に複数連接することを特徴としている。
【０００９】
請求項４記載の可変階高式積層構造物は、前記固定フレームが、上下方向に連通する連通空間を内包することを特徴としている。
【００１０】
請求項５記載の可変階高式積層構造物の構築方法は、所定の高さを有する固定フレーム、及び該固定フレームに支持されるハットトラスを構築する第１の工程と、あらかじめ前記可変フレーム本体を組み立てておき、該可変フレーム本体の内周縁近傍に前記揚重手段を連結して、前記固定フレームに沿って所定の高さ位置まで揚重した後、可変フレーム本体の内周縁近傍と固定フレームの外周面とをピン結合する工程を、所定の階層を形成するまで繰り返す第２の工程と、下方側に位置する可変フレーム本体を、直上に垂設されている吊り材に支持させる第３の工程により構成されることを特徴としている。
【００１１】
請求項６記載の可変階高式積層構造物の構築方法は、第２の工程で、前記可変フレーム本体の内周縁近傍と固定フレームの外周面とをピン結合した後、可変フレーム本体の外周縁近傍を仮設吊り材を介して固定フレームの外周面に締結し、第３の工程で、前記可変フレーム本体を前記吊り材で支持した後、前記仮設吊り材を撤去することを特徴としている。
【００１２】
請求項７記載の可変階高式積層構造物の構築方法は、前記固定フレームが、１階層分の固定フレーム本体を積層することに構築されており、第１の工程で、上端面に前記ハットトラスを備えた固定フレーム本体をプッシュアップして新たな固定フレーム本体を下方に継ぎ足してユニット化し、該ユニットをプッシュアップしながら下方に新たな固定フレーム本体を継ぎ足す工程を所定の高さに達するまで繰り返すことにより、所定の高さを有する固定フレーム、及び該固定フレームに支持されるハットトラスを構築することを特徴としている。
【００１３】
請求項８記載の可変階高式積層構造物の階高の変更方法は、階高を変更したい階層を形成する可変フレーム本体に対し、仮設吊り材を介して外周縁近傍を固定フレームの外周面に連結した後、可変フレーム本体を支持する吊り材を撤去する第１の工程と、前記ハットトラスに、前記固定フレームの外周面に沿って垂設する複数の揚重手段を設置するとともに、前記可変フレーム本体の内周縁近傍に該揚重手段を連結して、可変フレーム本体を所定の高さ位置まで揚重する第２の工程と、前記可変フレーム本体の内周縁と固定フレームの外周面とを締結手段を介して締結するとともに、可変フレーム本体を、直上に垂れ設されている吊り材を介して支持した後、仮設吊り材を撤去する第３の工程によりなることを特徴としている。
【００１４】
【発明の実施の形態】
本発明の可変階高式積層構造物は、塔状に構築された固定フレームの外周に隣接して配置される可変フレームが、可変フレーム本体を高さ方向に積層して階層を形成する積層構造により構成されるとともに、固定フレームの上部に配置されているハットトラスに吊り支持されており、前記ハットトラスに備えられた揚重手段を介して所望の可変フレーム本体を所定高さに揚重することにより、可変フレームの階高を容易に変更できるものである。
【００１５】
図１に示すように、可変階高式積層構造物１は、固定フレーム２と、ハットトラス８と、可変フレーム１１を備えている。該固定フレーム２は、複数の固定フレーム本体３を鉛直状に積層して塔状に構築されたものであり、固定フレーム本体３は、横材４ａと縦材４ｂを組み合わせて角柱状に形成した４本の柱４を、梁５を介して連結した平面視四角形状の筒体に構成されている。したがって、該固定フレーム２は、図２に示すように、中央に上下に連通する連通空間６ａを有するとともに、前記柱４の内方にも上下に連通する連通空間６ｂが形成されている。
【００１６】
前記ハットトラス８は、図１に示すように、鋼材よりなる上弦材８ａ、下弦材８ｂ及び斜材８ｃを図示しない球体状のハブを介して連結した平板型立体トラス構造を水平に配置したもので、前記固定フレーム２の上部に中央部近傍を支持されるように設置されている。また、該ハットトラス８の下弦材８ｂには、前記固定フレーム２の外周面に沿う位置に、複数の揚重手段７が垂設されており、該揚重手段７を利用して後に述べる可変フレーム１１を構成する可変フレーム本体１２の揚重を行う。
本実施の形態において、前記揚重手段７には、吊りワイヤを用いているが、必ずしもこれにこだわるものではなく、ハットトラス８を揚重用ガーダーとして利用できる揚重手段７であれば、何れを用いても良い。また、揚重手段７は、常設もしくは脱着可能等、何れの構成としても良い。
【００１７】
また、前記可変フレーム１１は、図２に示すように、平面視が固定フレーム２を囲うように配置されるドーナツ形状の可変フレーム本体１２を、図１に示すように、鉛直方向に複数積層することにより構築されたものであり、可変フレーム本体１２は、可変梁１３、直交梁１４、及び吊り材１６を備えている。
【００１８】
該可変梁１３は、図２に示すように、前記固定フレーム２の外周面より直交して水平に突出するように配置されており、一方の端部１３ａが固定フレーム２の外周面に当接している。また、前記直交梁１４は、可変梁１３と直交して架け渡されるものであり、本実施の形態では、隣り合う可変梁１３の他方の端部１３ｂや中間部等を連結するように配置されている。前記吊り材１６は、図１に示すように、前記可変梁１３の他方の端部１３ｂに一端を固定されて、下方に垂設されており、外力が作用しても変形することのない剛材により構成されるとともに、その部材長は、構築しようとする可変階高式積層構造物の標準階高に相当する長さに成形されている。
【００１９】
なお、本実施の形態において、該可変フレーム本体１２は、図２に示すように、前記可変梁１３と、該可変梁１３の両端部１３ａ、１３ｂに連結された直交梁１４により囲われた領域を１体のユニット平板１５とし、該ユニット平板１５を前記固定フレーム２の側面、及び固定フレーム２の隅角部の各々に面するように８体配置して、これらを連結梁１５ａを介して連結することにより、固定フレーム２を囲うドーナツ形状の平面視を形成している。
【００２０】
このような構成の可変フレーム本体１２は、図１に示すように、所定の高さ位置に複数が積層され、前記可変梁１３の一方の端部１３ａを締結手段１８を介して固定フレーム２の外周面に締結されるとともに、他方の端部１３ｂを直上に位置する可変梁１３より垂設されている吊り材１６に支持されて、可変フレーム１１を構成している。これら可変フレーム１１は、前記ハットトラス８を構成する下弦材８ｃの外周縁近傍より垂設されている複数の吊り材１６により吊り支持されている。
【００２１】
上述する構成により可変階高式積層構造物１は、その階層を複数の前記可変フレーム本体１２各々により形成されるものであり、可変フレーム本体１２の上面には床材９が配置されるとともに、可変フレーム本体１２の外周縁には外装カーテンウォール１０が垂設される。なお、前記床材９には、超軽量で薄型に成形できる炭素繊維強化プラスチック製を用いる等、可変フレーム１１の自重をより低減する構成を用いている。
【００２２】
ところで、該可変階高式積層構造物１を構成する前記ハットトラス８には、先にも述べたように、前記可変フレーム本体１２を揚重する揚重手段７が備えられているとともに、前記可変フレーム本体１２はその内周縁を、固定フレーム２に締結手段１８を介してピン結合されている。このため、前記可変フレーム１１の構築及び解体が容易に実施できる構成を有している。以下に、図３及び図４を用いて、該可変階高式積層構造物１の構築方法を詳述する。
【００２３】
（第１の工程）
第１の工程では、前記ハットトラス８及び固定フレーム２を構築する。
あらかじめ地組した固定フレーム本体３の上部に、同じくあらかじめ地組したハットトラス８を建て込みユニット化した後、該ユニットをジャッキ等の図示しない押し上げ手段を用いて押し上げて、図３（ａ）に示すように、下方から新たな固定フレーム本体３を挿入して積層する。このような、ハットトラス８と複数の固定フレーム本体３より構成したユニットを押し上げて、下方から新たな固定フレーム本体３を挿入して積層する手順を、所望の高さに達するまで繰り返し、図３（ｂ）に示すように、複数の固定フレーム本体３を鉛直方向に積層した固定フレーム２を構築する。
【００２４】
このとき、前記ハットトラス８の外周縁近傍には、下弦材８ｂに前記吊り材１６及び外装カーテンウォール１０を垂設しておく。また、ハットトラス８に揚重手段７が常設されていない場合には、図２に示すように、後に揚重する可変フレーム本体１２の前記可変梁１３と鉛直方向で同軸となる位置で、前記固定フレーム２の外周面に沿って垂設されるように、前記下弦材８ｂに揚重手段７を装着する。
【００２５】
（第２の工程）
第２の工程では、前記可変フレーム本体１２を揚重し、固定フレーム２に仮支持する。
図４（ａ）に示すように、前記可変フレーム本体１２を前記固定フレーム２の外周で地組した後、前記可変梁１３に揚重手段７を取り付け、該揚重手段７を介して可変フレーム本体１２を固定フレーム２に沿って所定の高さまで揚重する。この後、図４（ｂ）に示すように前記可変梁１３の一方の端部１３ａを固定フレーム２の外周面に締結手段１８を介して締結するとともに、他方の端部１３ｂを仮設吊り材１７を介して固定フレーム２の外周面に連結する。
このような工程を繰り返し、図５（ａ）に示すように所定数の可変フレーム本体１２を固定フレーム２の所定高さ位置に仮支持する。
【００２６】
（第３の工程）
第３の工程では、下方に位置する前記可変フレーム本体１２を直上に位置する可変フレーム本体１２に支持させた後、前記仮設吊り材１７を撤去する。
図５（ｂ）に示すように、前記可変フレーム本体１２を構成する可変梁１３の他方の端部１３ｂを、直上に垂れ設されている吊り材１６の他端に連結させることにより該吊り材１６で可変フレーム本体１２を支持し、この後、仮設吊り材１７を撤去する工程を上方に位置する各可変フレーム本体１２から下方に向けて順に繰り返す。これにより、前記ハットトラス８に支持される可変フレーム１１が形成され、可変階高式積層構造物１が構築されることとなる。
【００２７】
このような可変階高式積層構造物１は、上述するハットトラス８、固定フレーム２及び可変フレーム１１よりなる構成を１つの基本ユニット１９とし、図６（ａ）（ｂ）に示すように、これらを水平方向に連接する構成としても良い。
【００２８】
また、該可変階高式積層構造物１は、可変階高式積層構造物１の構築後に、ある階層の階高を変更したい際にも、容易に変更することが可能な構成となっている。以下に、図７及び図８を参照して、構築後の可変階高式積層構造物１における所定の階層の階高の変更方法を詳述する。
【００２９】
（第１の工程）
階高を変更したい階層を形成している可変フレーム本体１２ａを仮支持する。図７（ａ）に示すように、階高を変更したい階層を形成している可変フレーム本体１２ａ、及び直下の可変フレーム本体１２ｂに対して、可変梁１３の他方の端部１３ｂと固定フレーム２を連結するように、仮設吊り材１７を設置するとともに、前記ハットトラス８の下弦材８ｂより、可変フレーム１１の外周面に沿って揚重手段７を垂設する。
この後、該揚重手段７を介して、可変フレーム本体１２ａ、及び直上の可変フレーム本体１２ｃに設置されている前記外装カーテンウォール１０及び吊り材１６を撤去する。
【００３０】
（第２の工程）
階高を変更したい階層を形成している可変フレーム本体１２ａを高さ方向に移動する。
図７（ｂ）に示すように、可変フレーム本体１２ａを構成する可変梁１３の一方の端部１３ａと固定フレーム２とをピン接合している締結手段１８を撤去した後、前記揚重手段７を介して、可変フレーム本体１２ａを前記固定フレーム２に沿って揚重し、所望の高さ位置に移動する。
この後、再度、図８（ａ）に示すように、可変フレーム本体１２ａを構成する可変梁１３の一方の端部１３ａと固定フレーム２の外周面を締結手段１８を介して締結するとともに、前記ハットトラス８の下弦材８ｂより、可変フレーム１１の外周面に沿って垂設された前記揚重手段７を介して、階高を変更した可変フレーム本体１２ａ、及び直上の可変フレーム本体１２ｃに前記外装カーテンウォール１０を設置するとともに、前記吊り材１６を設置する。
最後に、図８（ｂ）に示すように、階高を変更した可変フレーム本体１２ａ、及び直下の可変フレーム本体１２ｂの可変梁１３に連結した仮設吊り材１７を撤去するとともに、可変フレーム１１の外周面に沿って垂設された揚重手段７も撤去する。
これにより、可変階高式積層構造物１は、構築後であっても容易に階層の階高を変更することができるものである。
【００３１】
なお、本実施の形態では、変更したい階層を形成する可変フレーム本体１２全体を高さ方向に移動したが、必ずしもこれにこだわるものではない。
例えば、図２に示したように、可変フレーム本体１２に、前記可変梁１３と直交梁１４により囲われた領域よりなる複数のユニット平板１５と、隣り合う該ユニット平板１５を連結梁１５ａを介して連結する構成を備える構成とすれば、所望の位置の連結梁１５ａを撤去することにより、図９に示すように、可変フレーム本体１２を部分的に高さ移動することが可能となる。
【００３２】
上述する構成によれば、可変階高式積層構造物１は、可変フレーム１１が前記ハットトラス８に吊り支持されているともに、該ハットトラス８が前記固定フレーム２に支持される構成を有していることから、可変階高式積層構造物１全体の荷重は固定フレーム２により支持されるため、可変フレーム１１は、内周縁の固定フレームへ２の接合を締結手段１８を介したピン接合とすることができ、構築及び解体が容易な簡略な構成とすることが可能となる。また、構造部材を損傷することなく解体を実施できるため、解体後の構造部材を再利用することも可能となる。
【００３３】
前記可変フレーム１１が前記ハットトラス８に吊り支持されているとともに、前記可変フレーム１１に備えられる床材９に軽量化が図られていることから、地震が生じた際に、可変フレーム１１は地震応答を低減することができ、耐震性能を向上することが可能となる。
【００３４】
前記可変階高式積層構造物１は、可変フレーム１１、ハットトラス８、及び固定フレーム２よりなる構成を１つの基本ユニット１９とし、これらを水平方向に連接することから、所望の平面視形状を有する可変階高式積層構造物１を、簡略な構成で構築することが可能となる。
【００３５】
前記固定フレーム２の内方には、複数の連通空間６ａ、６ｂが形成されていることから、該連通空間６ａ、６ｂに設備配管や昇降設備等を備えることにより、すべての階層に容易に接続することが可能になるとともに、これら設備配管や昇降設備に影響を与えることなく、可変フレーム１１の階層を変更することが可能となる。
【００３６】
前記可変階高式積層構造物１の構築方法によれば、前記ハットトラス８に揚重手段７が備えられ、該揚重手段７を利用して階層を形成する可変フレーム本体１２の揚重を実施できることから、可変フレーム本体１２を前記固定フレーム２の外周で地組することにより、その移動は揚重手段７による上下方向の移動のみであるため、地組時に床材９や外装カーテンウォール１０を構築する構成とすれば、施工性を大幅に向上することができ、工期短縮、工費削減に大きく寄与することが可能になる。また、解体や階高変更の際にも、新たに揚重機を用いる必要が無く、工費削減に大きく寄与することが可能になる。
【００３７】
【発明の効果】
請求項１記載の可変階高式積層構造物によれば、鉄骨造の柱及び梁により構成され、塔形状に構築された固定フレームと、該固定フレームの上部に中央近傍が支持され、固定フレームと比較して平面視形状の大きい平板型立体トラス構造よりなるハットトラスと、該ハットトラスの外周縁より垂設されている複数の吊り材により支持され、前記固定フレームの外周に形成される可変フレームを備えてなり、該可変フレームが、一方の端面を前記固定フレームの外周面に当接するように水平に配置される複数の可変梁、該可変梁に直交して配される直交梁、及び前記可変梁の他方の端部に一端を固定されて鉛直下方に垂設される吊り材を備える可変フレーム本体を、高さ方向に複数積層し、上方に位置する可変フレーム本体の吊り材で、下方に位置する可変フレーム本体を支持することにより構成される。
これにより、可変階高式積層構造物全体の荷重は固定フレームにより支持されるため、可変フレームは、内周縁の固定フレームへの接合を、締結手段を介したピン接合とすることができ、構築及び解体が容易な簡略な構成とすることが可能となる。また、構造部材を損傷することなく解体を実施できるため、解体後の構造部材を再利用することも可能となる。
【００３８】
請求項２に記載の可変階高式積層構造物によれば、前記ハットトラスに、揚重手段が垂設されることから、可変フレーム本体を前記固定フレームの外周で地組することにより、可変フレーム本体の移動は揚重手段による上下方向の移動のみであるため、地組時に床材や外装カーテンウォールを構築する構成とすれば、施工性を大幅に向上することができ、工期短縮、工費削減に大きく寄与することが可能になる。
【００３９】
請求項３記載の可変階高式積層構造物によれば、前記固定フレーム、ハットトラス及び可変フレームを備える構成を１ユニットとし、水平方向に複数連接することから、所望の平面視形状を有する可変階高式積層構造物を、簡略な構成で構築することが可能となる。
【００４０】
請求項４記載の可変階高式積層構造物によれば、前記固定フレームが、上下方向に連通する連通空間を内包することから、該連通空間、に設備配管や昇降設備等を備えることにより、すべての階層に容易に接続することが可能になるとともに、これら設備配管や昇降設備に影響を与えることなく、可変フレームの階層を変更することが可能となる。
【００４１】
請求項５から７に記載の可変階高式積層構造物の構築方法によれば、所定の高さを有する固定フレーム、及び該固定フレームに支持されるハットトラスを構築する第１の工程と、あらかじめ前記可変フレーム本体を組み立てておき、該可変フレーム本体の内周縁近傍に前記揚重手段を連結して、前記固定フレームに沿って所定の高さ位置まで揚重した後、可変フレーム本体の内周縁近傍と固定フレームの外周面とをピン結合する工程を、所定の階層を形成するまで繰り返す第２の工程と、下方側に位置する可変フレーム本体を、直上に垂設されている吊り材に支持させる第３の工程により構成される。
【００４２】
もしくは、第２の工程で、前記可変フレーム本体の内周縁近傍と固定フレームの外周面とをピン結合した後、可変フレーム本体の外周縁近傍を仮設吊り材を介して固定フレームの外周面に締結し、第３の工程で、前記可変フレーム本体を前記吊り材で支持した後、前記仮設吊り材を撤去する。
【００４３】
もしくは、請求項７記載の可変階高式積層構造物の構築方法は、前記固定フレームが、１階層分の固定フレーム本体を積層することに構築されており、第１の工程で、上端面に前記ハットトラスを備えた固定フレーム本体をプッシュアップして新たな固定フレーム本体を下方に継ぎ足してユニット化し、該ユニットをプッシュアップしながら下方に新たな固定フレーム本体を継ぎ足す工程を所定の高さに達するまで繰り返すことにより、所定の高さを有する固定フレーム、及び該固定フレームに支持されるハットトラスを構築する。
【００４４】
これにより、簡略な構成で、かつ新たに揚重機を用いる必要が無いため、工費削減、工期短縮に大きく寄与することが可能になる
【００４５】
請求項８記載の可変階高式積層構造物の階高の変更方法によれば、階高を変更したい階層を形成する可変フレーム本体に対し、仮設吊り材を介して外周縁近傍を固定フレームの外周面に連結した後、可変フレーム本体を支持する吊り材を撤去する第１の工程と、前記ハットトラスに、前記固定フレームの外周面に沿って垂設する複数の揚重手段を設置するとともに、前記可変フレーム本体の内周縁近傍に該揚重手段を連結して、可変フレーム本体を所定の高さ位置まで揚重する第２の工程と、前記可変フレーム本体の内周縁と固定フレームの外周面とを締結手段を介して締結するとともに、可変フレーム本体を、直上に垂れ設されている吊り材を介して支持した後、仮設吊り材を撤去する第３の工程によりなる。
【００４６】
これにより、可変階高式積層構造物は構築後であっても、多の階層に影響を与えることなく、所定の階層を所望の階高に容易に変更することが可能となる。
【図面の簡単な説明】
【図１】本発明の可変階高式積層構造物の概略を示す図である。
【図２】本発明の可変階高式積層構造物の断面を示す図である。
【図３】本発明の可変階高式積層構造物の構築方法を示す図である（その１）。
【図４】本発明の可変階高式積層構造物の構築方法を示す図である（その２）。
【図５】本発明の可変階高式積層構造物の構築方法を示す図である（その３）。
【図６】本発明の可変階高式積層構造物の他の事例を示す図である。。
【図７】本発明の可変階高式積層構造物の階高の変更方法を示す図である（その１）。
【図８】本発明の可変階高式積層構造物の階高の変更方法を示す図である（その２）。
【図９】本発明の階高変更後の可変階高式積層構造物を示す図である。
【符号の説明】
１  可変階高式積層構造物
２  固定フレーム
３  固定フレーム本体
４  柱
５  梁
６ａ  連通空間
６ｂ  連通空間
７  揚重手段
８  ハットトラス
９  床材
１０  外装カーテンウォール
１１  可変フレーム
１２  可変フレーム本体
１３  可変梁
１４  直交梁
１５  ユニット平板
１６  吊り材
１７  仮設吊り材
１８  締結手段
１９  基本ユニット
【図１】
2004316255.tif 000003
【図２】
2004316255.tif 000004
【図３】
2004316255.tif 000005
【図４】
2004316255.tif 000006
【図５】
2004316255.tif 000007
【図６】
2004316255.tif 000008
【図７】
2004316255.tif 000009
【図８】
2004316255.tif 000010
【図９】
2004316255.tif 000011